(57)【要約】【課題】  被測定対象が曲面や大型の素材の場合にも、柔軟に対応してウィスカの測定が容易なウィスカ測定方式を得る。【解決手段】  ウィスカは金属結晶であり導電性を有するので、ゲル状導通粘着シート１１を、測定対象物４のメッキ面（３Ａ，３Ｂの上面）に貼り付ける。針状ウィスカがシート１内部に侵入し、時間の経過に伴いシート１の内部で成長する。このシート１を剥離しウィスカが内部に残存したシート１の体積抵抗値を微小抵抗計により測定し、この測定値と初期体積抵抗値とを比較することにより、ウィスカ発生を定量的に測定することができる。【選択図】      図１
2006250590.tif 000002
【特許請求の範囲】
【請求項１】
ウィスカ測定のためのウィスカ測定シートであって、被測定対象物に対して粘着自在なゲル状導通粘着シートからなることを特徴とするウィスカ測定シート。
【請求項２】
ウィスカ測定のためのウィスカ測定装置であって、被測定対象物に対して所定期間粘着されたゲル状導通粘着シートと、前記ゲル状導通粘着シートの抵抗値を測定する抵抗計とを含むことを特徴とするウィスカ測定装置。
【請求項３】
前記抵抗計による前記ゲル状導通粘着シートの初期抵抗値と所定時間経過後の抵抗値とを比較してこの比較結果によりウィスカ測定をなすことを特徴とする請求項２記載のウィスカ測定装置。
【請求項４】
前記抵抗計は、前記ゲル状導通粘着シートの体積抵抗値を測定するものであることを特徴とする請求項２または３記載のウィスカ測定装置。
【請求項５】
被測定対象物に対して所定期間ゲル状導通粘着シートを粘着した後、このゲル状導通粘着シートの抵抗値を測定し、この測定結果に基きウィスカ測定をなすことを特徴とするウィスカ測定方法。
【請求項６】
前記ゲル状導通粘着シートの初期抵抗値と前記測定結果とを比較してこの比較結果により前記ウィスカ測定をなすことを特徴とする請求項５記載のウィスカ測定方法。
【請求項７】
前記抵抗値は体積抵抗値であることを特徴とする請求項５または６記載のウィスカ測定方法。
【発明の詳細な説明】
【技術分野】
【０００１】
本発明はウィスカ測定シート及びそれを用いた測定装置並びにその測定方法に関し、特に電気部品などに使用されるメッキやハンダ材料から発生するウィスカを測定するためのウィスカ測定シート及びそれを用いた測定装置並びにその測定方法に関するものである。
【背景技術】
【０００２】
従来、金属メッキ上に施された亜鉛メッキやスズメッキなどに発生する針状ウィスカは直径が１０μｍ以下と非常に細く、その検知には、光学顕微鏡やＳＥＭ（走査型電子顕微鏡）により視覚的に確認する方法が用いられており、その確認には長時間が必要であり、大型の対象物の確認は困難である。
【０００３】
また、針状ウィスカは折れやすいために、観察時のサンプル移動等の際に落下が危惧されることにもなる。更に、光源、被観察物の角度、作業者スキル等によるバラツキも発生する。顕微鏡やＳＥＭによる観察では、微小範囲の確認にとどまり、広範囲を短時間で確認することは困難であり、定量的に測定することはできない。
【０００４】
そこで、特許文献１〜３などを参照すると、ウィスカを測定するための技術がそれぞれ開示されている。
【特許文献１】特開平４−３１４３４５号公報
【特許文献２】特開２００１−０７４８０１号公報
【特許文献３】特開２００１−２２８１０７号公報
【特許文献４】特開２００１−１４６５７８号公報
【発明の開示】
【発明が解決しようとする課題】
【０００５】
上記の各公開公報に開示の技術では、被測定対象が曲面や大型の素材などの場合に対して、柔軟に対応してウィスカの測定が困難であるという問題点がある。
【０００６】
本発明の目的は、被測定対象が曲面や大型の素材などの場合に対して、柔軟に対応してウィスカの測定が容易なウィスカ測定シート及びそれを用いた測定装置並びにその測定方法を提供することである。
【０００７】
本発明の他の目的は、測定が微小範囲に限られることなく、また光源の種類や、被測定物の角度及び測定方向、また作業者のスキルなどによる差がないようにしたウィスカ測定シート及びそれを用いた測定装置並びのその測定方法を提供することである。
【課題を解決するための手段】
【０００８】
本発明によるウィスカ測定シートは、被測定対象物に対して粘着自在なゲル状導通粘着シートからなることを特徴とする。
【０００９】
本発明によるウィスカ測定装置は、被測定対象物に対して所定期間粘着されたゲル状導通粘着シートと、前記ゲル状導通粘着シートの抵抗値を測定する抵抗計とを含むことを特徴とする。
【００１０】
本発明によるウィスカ測定方法は、被測定対象物に対して所定期間ゲル状導通粘着シートを粘着した後、このゲル状導通粘着シートの抵抗値を測定し、この測定結果に基きウィスカ測定をなすことを特徴とする。
【００１１】
本発明の作用を述べる。ウィスカは金属結晶であり導電性を有することから、ゲル状導通粘着シートを、被測定対象のメッキ面に貼付ける。針状ウィスカがこのゲル状導通粘着シート内部に侵入し、時間の経過に伴ってシート内部で成長する。よって、このゲル状導通粘着シートを剥離して、ウィスカが内部に残存したゲル状導通粘着シートの体積抵抗値を微小抵抗計により測定し、初期体積抵抗値と比較することにより、ウィスカ発生を定量的に測定することができる。
【発明の効果】
【００１２】
本発明によれば、以下に記載するような効果を奏する。第１の効果は、ゲル状導通粘着シート内にウィスカを取込むことにより、導通通抵抗値の変化により、ウィスカの発生量を定量的に測定ができることである。第２の効果は、広範囲にウィスカを測定することができることである。第３の効果は、ゲル状導通粘着シートが粘着剤を有することから、曲面、大型素材へも貼り付けが可能であれば測定できることである。
【発明を実施するための最良の形態】
【００１３】
以下に、図面を参照しつつ本発明の実施の形態について説明する。図１は本発明の実施の形態を説明するための図である。図１において、ゲル状導通粘着シート１は５０μｍ〜２００μｍの厚さであって導電性であり、その下面には粘着層１１を有している。被メッキ物である金属４には、ウィスカ発生を検知すべきメッキ皮膜３ａ，３ｂが施されている。
【００１４】
ここで、ウィスカは金属結晶であり導電性を有し、通常２００μｍ程度まで成長するので、ゲル状導通粘着シート１の厚さは、このウィスカ長に合わせて、５０μｍ〜２００μｍ厚とするのが良い。
【００１５】
金属結晶であるウィスカは針状であり、その形状と堅さのために、柔らかいゲルに対し容易に侵入することができる。そこで、本発明では、被測定対象の金属膜４及びメッキ膜３ａ，３ｂの積層構造である被メッキ物のメッキ膜の上面に、このゲル状導通粘着シート１を貼付けるのである。
【００１６】
図２に示すように、針状ウィスカ５は、時間の経過に伴って、ゲル状導通粘着シート１の内部で成長する。従って、任意の時間経過後、ゲル状導通粘着シート１を被メッキ物より剥離する。針状ウィスカ５は細く折れやすいため、剥離の際、メッキから折れ、ゲル状導通粘着シート１の内部に残存する。ゲル状導通粘着シート１の内部に残存した金属針状ウィスカ５のために、シート１の体積抵抗値は変化する。
【００１７】
そこで、図３に示すように、配線７を介して微小抵抗計６により、シート１の体積抵抗値を測定するのである。この場合、初期体積抵抗値と測定された体積抵抗値とを比較することにより、ウィスカの発生を測定することができることになる。
【００１８】
また、ゲル状導通粘着シート１は、柔軟性を有するので、被測定対象である被メッキ物が、平面によらず様々な形状であっても、容易に貼付することができる利点を有する。例えば、曲線部は光学的な観察によりウィスカを検知することが困難であるが、ゲル状導通粘着シート１を貼付することにより、簡便にウィスカ発生を定量的に測定することができる。同様に、折り曲げ部や、配線部や、大型素材等に対しても、ウィスカ発生の測定に有効である。
【００１９】
なお、このゲル状導通粘着シート１としては、特許文献４に開示のものを使用できるが、それに限定されることはないことは勿論である。
【図面の簡単な説明】
【００２０】
【図１】本発明の実施の形態を説明するための全体斜視図である。
【図２】図１の状態において、ウィスカ発生の例を示す図である。
【図３】ウィスカ測定を説明するための斜視図である。
【符号の説明】
【００２１】
１  ゲル状導通粘着シート
３ａ，３ｂ  メッキ被膜
４  金属
５  ウィスカ
６  微小抵抗計
７  配線
１１  粘着層
【図１】
2006250590.tif 000003
【図２】
2006250590.tif 000004
【図３】
2006250590.tif 000005